(57)【特許請求の範囲】
【請求項１】
上端の係脱金具を梁先端の吊金具の係脱挿入孔に受入係止し，下端の係合金具を地表に設置した下支え金具に係合することによって支柱片持ちの屋根自由端を支持するカーポートのサポート柱に用い，該サポート柱の不使用時に該サポート柱を支柱又は支柱片持ち側の屋根構造材に収納する上吊金具と振止金具とを備えた収納金具であって，上吊金具を上記サポート柱の係脱金具を受入係止する係脱挿入孔をそれぞれ受基板に透設した２種類とし，その一方を該受基板の両側に脚片と該脚片から外側に突設した透孔を有する固定片とをＬ字状に配置した上記屋根構造材の水平下面設置用とし，他方を上記受基板から垂直に起立して透孔を有する垂直固定片及び該垂直固定片の先端から受基板側に下向き傾斜して同じく透孔を有する傾斜固定片をし字状に配置し，その垂直固定片を支柱又は屋根構造材の垂直面設置用，傾斜固定片を屋根構造材の傾斜面設置用とし，これら２種類の上吊金具を選択的に使用して屋根構造材の水平面，支柱又は屋根構造材の垂直面及び屋根構造材の傾斜面の任意箇所に設置自在とする一方，上記屋根構造材の水平下面設置用一方の上吊金具を地表に反転使用して振止金具とすることにより，該振止金具を上記上吊金具と共通部材としてなることを特徴とするサポート柱収納金具。
【発明の詳細な説明】
【技術分野】
【０００１】
本発明は，片持ちタイプのカーポートをその屋根の自由端で支持するサポート柱に関し，特に該サポート柱の取り外し時に支柱片持ち側の屋根構造材に収納するに用いるサポート柱収納金具に関する。
【背景技術】
【０００２】
片持ちタイプのカーポートにおけるサポート柱として，上端のＴ字金具を梁先端の吊金具の係脱挿入孔に受入係止し，下端のフックを地表に埋込設置した下支え金具に引掛係止することによって支柱片持ちの屋根自由端を支持するようにした，本出願人の提案に係るものが知られており，このとき上記屋根を片持ちする支柱の垂直面に設置した上下を対とする収納金具によって，不使用時に該サポート柱を支柱に対して面接して添設収納するものとされる。
【０００３】
【特許文献１】特開平９−２２１９２８号公報
【発明の開示】
【発明が解決しようとする課題】
【０００４】
この場合，サポート柱が屋根自由端を支持することによって，積雪による屋根荷重を下支え支持するとともに強風による屋根煽りを阻止してカーポートとしての強度を確保することができ，また不使用時にサポート柱を支柱に添設収納することによってカーポートの屋根自由端側を開放して駐車スペースを広く確保することができる。
【０００５】
しかし乍ら，サポート柱の収納は支柱に対する添設収納とされるところ，該収納部位は必ずしも支柱に限らず，その余の屋根構造材に対しても可能である。
【０００６】
そこで本発明は，支柱又は桁や後枠の屋根構造材の任意箇所に容易に設置可能にしてその既存のカーポートに対する後付や設置箇所の変更を可能としたサポート柱収納金具を提供するにある。
【課題を解決するための手段】
【０００７】
上記課題に沿って本発明は，カーポートに使用する構造材は，主にアルミ押出材によって所定断面形状に成形された柱，梁，桁，屋根枠であり，これらの断面形状を見ると，柱は垂直面を，桁は水平面又は傾斜面を，屋根枠，特に支柱片持ち側の後枠は水平面，垂直面又は傾斜面を備えていることが多く，従ってこれら垂直面，水平面，傾斜面に対してサポート柱の上端に設置した係脱金具を吊支持する金具を取り付けるとともにその下位の地表に振止金具を設置するようにすれば，支柱や屋根構造材のいずれの箇所にもサポート柱を適宜に収納することが可能となることから，収納用の上吊金具を水平面，特にその下面に設置する水平下面用のものと垂直面及び傾斜面用のものの２種類としてこれらを選択的に使用してその設置を行うとともに振止金具を上記水平下面用の上吊金具を反転使用する共通部材とすることによって，結局２種類の金具を用いてサポート柱の収納を，支柱，桁，後枠のカーポートにおける構造材の任意箇所，即ち構造材の適宜箇所に上吊収納自在としたものであって，即ち本発明は，これを，  上端の係脱金具を梁先端の吊金具の係脱挿入孔に受入係止し，下端の係合金具を地表に設置した下支え金具に係合することによって支柱片持ちの屋根自由端を支持するカーポートのサポート柱に用い，該サポート柱の不使用時に該サポート柱を支柱又は支柱片持ち側の屋根構造材に収納する上吊金具と振止金具とを備えた収納金具であって，上吊金具を上記サポート柱の係脱金具を受入係止する係脱挿入孔をそれぞれ受基板に透設した２種類とし，その一方を該受基板の両側に脚片と該脚片から外側に突設した透孔を有する固定片とをＬ字状に配置した上記屋根構造材の水平下面設置用とし，他方を上記受基板から垂直に起立して透孔を有する垂直固定片及び該垂直固定片の先端から受基板側に下向き傾斜して同じく透孔を有する傾斜固定片をし字状に配置し，その垂直固定片を支柱又は屋根構造材の垂直面設置用，傾斜固定片を屋根構造材の傾斜面設置用とし，これら２種類の上吊金具を選択的に使用して屋根構造材の水平面，支柱又は屋根構造材の垂直面及び屋根構造材の傾斜面の任意箇所に設置自在とする一方，上記屋根構造材の水平下面設置用一方の上吊金具を地表に反転使用して振止金具とすることにより，該振止金具を上記上吊金具と共通部材としてなることを特徴とするサポート柱収納金具とし，これを発明の要旨として上記課題解決の手段としたものである。
【発明の効果】
【０００８】
本発明は以上のとおりに構成したから，収納用の上吊金具を水平面，特にその下面に設置する水平下面用のものと垂直面及び傾斜面用のものの２種類としてこれらを選択的に使用してその設置を行うとともに振止金具を上記水平下面用の上吊金具を反転使用する共通部材とすることによって，結局２種類の金具を用いてサポート柱の収納を，支柱，桁，後枠のカーポートにおける構造材の任意箇所に容易且つ確実に上吊収納自在として，積雪時や強風時に屋根自由端を支持するサポート支柱を，その不使用時に，屋根自由端側を開放して駐車スペースを広く確保しながら，サポート柱をカーポートの構造材の適宜箇所に収納可能とするとともに既存のカーポートに対する後付や設置箇所の変更を可能としたサポート柱収納金具を提供することができる。
【発明を実施するための最良の形態】
【０００９】
以下図面の例に従って本発明を更に具体的に説明すれば，Ａは，例えばアルミ製としたカーポート，１は支柱，２は梁，３は屋根，４はその自由端側に位置する前枠，５は支柱側に位置する後枠，６はこれら前枠４及び後枠５間の側枠，７は屋根材，８はサポート柱を示す。このとき該サポート柱８のカーポートＡへの装着は，例えば，上記出願人の提案に係る特許文献に示したものと同様に構成してある。
【００１０】
即ちその構造を簡単に示せば，サポート柱８は，上端の係脱金具９を梁２先端の吊金具１５の係脱挿入孔１６に受入係止し，下端の係合金具１２を地表に埋込設置した下支え金具１７に係合することによって支柱片持ちの屋根自由端を支持するものとしてあり，これによって積雪による屋根荷重を支持し，また強風による屋根煽りを阻止してカーポートとしての強度を確保するものとしてある。
【００１１】
サポート柱８は，上端に係脱金具９を固定した上位柱体と下端に係合金具を固定した下位柱体とを相互にスライド自在としネジ止めすることによって伸縮自在とし，その長さ調整をなし得るようにしてある。このとき上記上端の係脱金具９は，サポート柱８の上端に設置した金具基板に起立した円形太軸１０とこれに交差する水平杆１１とを有する十字乃至Ｔ字金具としてあり，上記下端の係合金具１２は，これを同じくサポート柱８の下端に設置した金具基板から上記係脱金具９と交差方向に向けて倒Ｌ字状に起立し面内に透孔を備えたフック１３と，該フック１３を後述の下支え金具１７に係合したときにその揺動を防止して該フック１３の透孔を介して下支え金具１７に入り込むことによってその固定を行う，サポート柱８に上下動自在に設置した上記係脱金具９の円形太軸１０と略同径の落棒を有する落し錠１４によるものとしてある。
【００１２】
一方，吊金具１５は，受基板に上記係脱金具９の円形太軸１０の受孔とその両側の連続孔とを有する中間円形の横長透孔とした係脱金具９を受入係止する係脱挿入孔２９を透設し，該受基板の両側に梁２を被嵌する起立片を起立し且つ該起立片に透孔を透設したＵ字金具としてあり，下支え金具１７は，舟状基体に係止杆１８を横架したものとしてある。
【００１３】
上記吊金具１５は，これを梁２に被嵌し一方の起立片の透孔からボルトを挿通して他方の起立片側でナットで締着することによって梁２の先端に回動自在に軸支固定する一方，下支え金具１７をその開口を上向きとし係止杆１８が露出するように上記吊金具１５の下方の地表に埋め込み設置するものとしてある。
【００１４】
このように形成した吊金具１５及び下支え金具１７によるサポート柱８の設置は，上記係脱金具９を吊金具１５の係脱挿入孔１６に挿通し，該サポート柱８を１／４回転して係脱挿入孔１６を通過した水平杆１１が受基板上に引掛け載置するようにして，該吊金具１５に係脱金具９を受入係止し，該受入係止の状態でサポート柱８の長さを調整して該サポート柱８を梁２交差方向に向けて回動してその下端の係合金具１２を，上記下支え金具１７の係止杆１８に引掛け係止し且つ該係止杆１８を係合金具１２と落し棒１４とで挟持するように落し錠１４を降下操作することによって，カーポートＡの屋根自由端におけるサポート柱８による支持を行うようにしてある。
【００１５】
サポート柱８は，その収納金具を用いて，その不使用時にこれを支柱又は支柱片持ち側の屋根構造材に収納するものとしてあり，該収納金具は，上吊金具２１，２２と振止金具３３とを備え，上記上吊金具２１，２２を上記サポート柱８の係脱金具９を受入係止する係脱挿入孔２３，２９をそれぞれ受基板２２，２８に透設した２種類とし，これら２種類の上吊金具２１，２２を選択的に使用して屋根構造材の水平面，支柱又は屋根構造材の垂直面及び屋根構造材の傾斜面の任意箇所に設置自在とする一方，上記屋根構造材の水平下面設置用一方の上吊金具２１を地表に反転使用して振止金具３３とすることにより，該振止金具３３を上記上吊金具２１と共通部材としたものとしてある。
【００１６】
上記２種類の上吊金具２１，２７は，その一方を上記受基板２２の両側に脚片２４と該脚片２４から外側に突設した透孔２６を有する固定片２５とをＬ字状に配置した上記屋根構造材の水平下面設置用とし，他方を上記受基板２８から垂直に起立して透孔を有する垂直固定片３０及び該垂直固定片３０の先端から受基板２８側に下向き傾斜して同じく透孔３２を有する傾斜固定片３１をし字状に配置し，その垂直固定片３０を支柱又は屋根構造材の垂直面設置用，傾斜固定片３１を屋根構造材の傾斜面設置用としてある。
【００１７】
即ち２種類の上吊金具２１，２７は，例えば１〜２ｍｍ程度厚の鋼板をプレス加工してそれぞれ形成してあり，このとき各受基板２２，２８に透設した係脱挿入孔２３，２９は，上記吊金具１５の係脱挿入孔１６と共通する円形太軸の受孔とその両側の連続孔とを有する中間円形の横長透孔による形状のものとしてあり，これによって上記十字乃至Ｔ字状の係脱金具９を受入係止自在としてある。
【００１８】
２種類のうち一方の上記水平下面設置用の上吊金具２１は，その両側の脚片２４を，その高さを上記係脱金具９の円形太軸１０と水平杆１１の金具基板からの起立寸法及び上記係合金具におけるフック１３の金具基板からの起立寸法のいずれか大きい側の寸法を超える高さとすることによって上記係脱金具９の受入係止及び係合金具１２の係合の双方を自在とする高さとして受基板２２と同幅に起立してあり，固定片２５は，脚片２４の上端から外側，即ち反受基板側に水平に同じく同幅に突設してあり，また透孔２６は該固定片２５の面内にそれぞれ透設したネジ３４用の透孔としてある。従って該一方の上吊金具２１は，水平の固定片２５を屋根構造材の下面に対接してネジ３４固定することによって該屋根構造材に固定可能とするとともに水平の固定片２５を地表に対接してネジ３４固定することによって地表，特にコンクリート仕上げの地表に固定可能としてあり，これによって該一方の上吊金具２１を上記振止金具３３として使用可能として，該上吊金具２１と共通部材としてある。
【００１９】
２種類のうち他方の，垂直固定片３０と傾斜固定片３１を配置した上吊金具２７は，その垂直固定片３０を受基板２８の一方端部から上向き垂直の同幅に起立してあり，また傾斜固定片３１は，該垂直固定片３０の上端から内側，即ち受基板２８側に向けて，所定角度，本例にあっては，例えば後枠５における屋根パネル載置固定用の載置片の突出角度に合せて垂直固定片３０との内角を７５±５°程度の角度に下向き傾斜して突設してあり，また垂直固定片３０及び傾斜固定片３１に配置した透孔３２は上記と同様にそれぞれ面内に透設したネジ３４用の透孔としてある。
【００２０】
このように形成した２種類の上吊金具２１，２７は，例えば図３乃至図９に記載するように支柱１，後枠５のカーポートＡにおける構造材の任意箇所，即ち構造材の適宜箇所に選択的に設置するとともにその一方の上吊金具２１を共通部材とした振止金具３３を上記選択的に設置した上吊金具２１，２７下位の地表に設置することによってサポート柱８をこれら支柱１，後枠５の適宜位置に収納することができる。このとき梁２が水平面を有するとき，該梁２にサポート柱８を収納することが可能であるが，梁２は一般に支柱１から屋根自由端に向けて湾曲していることも多く，この場合には上記水平下面を固定対象する上吊金具２１，２７を梁２に固定するのは適しない。
【００２１】
図３及び図４は，上記のうち他方の上吊金具２７を用いて上記カーポートＡにこれを設置した例であり，このとき該他方の上吊金具２７の垂直固定片３０を後枠５における上向き傾斜の屋根受フィンの傾斜面，特にその上面に載置して添設し透孔３２を介してネジ３４止めすることによって該上吊金具２７を後枠５に対して支柱１の片側にこれと離隔して設置した例である。図５及び６は，上記以外の他のカーポートＡにおける桁１９に上記一方の上吊金具２１を用いてこれを設置した例であり，このとき該一方の固定片２５を桁１９の，雨樋部内側の水平下面に添設し透孔２６を介してネジ３４止めすることによって該上吊金具２１を桁１９に対して同じく支柱１の片側にこれと離隔して設置した例である。これらの例においてそれぞれ支柱１片側の上吊金具２１，２７下位の地表に上記一方の上吊金具２１を共用した上記各振止金具３３を該一方の上吊金具２１と上下に反転してその受基板２２を一方又は他方の上吊金具２１，２７における受基板２２，２８と平行に位置するようにその固定片２５を添設し透孔３２を介してネジ３４止めすることによって該振止金具３３を地表に設置してあり，これによってこれら上吊金具２１，２７と振止金具３３間にサポート柱を収納自在としてある。
【００２２】
更に図７乃至図９は，上記と別異のカーポートＡにおける異なる断面形状の後枠４又は桁１９に上記一方又は他方の上吊金具２１，２７を設置した例であり，図７及び図８は他方の上吊金具２７の垂直固定片３０を後枠５内側の垂直面に対接し透孔を介してネジ３４止めすることによってそれぞれ該上吊金具２１，２７を後枠５に設置した例，図９は上記一方の上吊金具２１の固定片２５を桁１９内側の水平下面に対接し透孔３２を介してネジ３４止めすることによって該上吊金具２１を桁１９に設置した例であり，また図示を省略するが上記他方の上吊金具２７の垂直固定片３０を支柱１における前後左右の側面の垂直面に対接し同じく透孔３２を介してネジ３４止めすることによって該上吊金具２７を支柱１の上方位置に設置することが可能であり，これらいずれの場合も同様に地表に振止金具３３を設置することによって該上吊金具２１，２７と図示省略の振止金具３３間にサポート柱８を収納自在としてある。
【００２３】
このように上下を対として設置した上吊金具２１，２７と振止金具３３には，サポート柱８の不使用時にその設置と逆の手順で上記梁から取り外し，同様にその係脱金具９を一方又は他方の上吊金具２１，２７における受基板２２，２８の係脱挿入孔２３，２９に挿入し１／４回転して受基板２２，２８にその水平杆１１を引掛け載置して該上吊金具２１，２７に係脱金具９を受入係止して該サポート柱８を後枠５，桁１９等の屋根構造材に上吊支持し，同じく該受入係止の状態でサポート柱８の長さを調整し，該サポート柱８を上記屋根構造材と交差方向に向けて回動してその下端の係合金具１２を，振止金具３３の受基板２２裏面に引掛け係止し且つ該振止金具３３における受基板３３の上記係脱挿入孔２３の中間円形部にサポート柱８の落し錠１４を降下操作し，フック１３を貫通して係脱挿入孔２３に至った該落し棒によって係合金具１２を振止金具３３に固定して，該サポート柱８の収納を行うようにしてある。
【００２４】
以上のとおりに構成したサポート柱８の収納金具は，収納用の上吊金具２１，２７を水平面，特にその下面に設置する水平下面用のものと垂直面及び傾斜面用のものの２種類としてこれらを選択的に使用してその設置を行うとともに振止金具３３を上記水平下面用の上吊金具２１を反転使用する共通部材とすることによって，結局２種類の金具を用いてサポート柱８の収納を，支柱１，後枠５，桁１９のカーポートＡにおける構造材の任意箇所に容易且つ確実に上吊収納自在として，積雪時や強風時に屋根自由端を支持するサポート柱８を，その不使用時に，屋根自由端側を開放して駐車スペースを広く確保しながら，サポート柱８をカーポートＡの構造材の適宜箇所に収納可能とするとともに既存のカーポートＡに対する後付や設置箇所の変更を可能とした収納金具とすることができる。
【００２５】
図示した例は以上のとおりとしたが，一方及び他方の上吊金具を，例えばアルミ押出材を所定長さに切断し，係脱挿入孔及び透孔の穴あけ加工を施すことによって形成することを含めて，本発明の実施に当ってカーポート，サポート柱，係脱金具，係合金具，下支え金具，上吊金具，振止金具等の各具体的形状，構造，材質，これらの関係，これらに対する付加等は，上記発明の要旨に反しない限り様々な形態のものとすることができる。
【図面の簡単な説明】
【００２６】
【図１】サポート柱で屋根自由端を支持したカーポートの斜視図である。
【図２】サポート柱と吊金具及び下支え金具の関係を示す斜視図である。
【図３】サポート柱を後枠と振止金具に収納した状態を示すサポート柱正面側からの収納状態図である。
【図４】図３のサポート柱側面側からの収納状態図である。
【図５】サポート柱を桁と振止金具に収納した状態を示すサポート柱正面側からの収納状態図である。
【図６】図５のサポート柱側面側からの収納状態図である。
【図７】異なる断面形状の後枠に他方の上吊金具を設置した状態の縦断面図である。
【図８】同じく異なる断面形状の後枠に他方の上吊金具  を設置した状態の縦断面図である。
【図９】同じく異なる断面形状の桁に一方の上吊金具を設置した状態の縦断面図である。
【図１０】一方の上吊金具の平面図である。
【図１１】一方の上吊金具の正面図である。
【図１２】一方の上吊金具の側面図である。
【図１３】他方の上吊金具の平面図である。
【図１４】他方の上吊金具の正面図である。
【図１５】他方の上吊金具の底面図である。
【図１６】他方の上吊金具の左側面図である。
【図１７】他方の上吊金具の右側面図である。
【符号の説明】
【００２７】
Ａ  カーポート
１  支柱
２  梁
３  屋根
４  屋根前枠
５  屋根後枠
６  屋根側枠
７  屋根材
８  サポート柱
９  係脱金具
１０  円形太軸
１１  水平杆
１２  係合金具
１３  フック
１４  落し錠
１５  吊金具
１６  係脱挿入孔
１７  下支え金具
１８  係止杆
１９  桁
２１  上吊金具
２２  受基板
２３  係脱挿入孔
２４  脚片
２５  固定片
２６  透孔
２７  上吊金具
２８  受基板
２９  係脱挿入孔
３０  垂直固定片
３１  傾斜固定片
３２  透孔
３３  振止金具
３４  ネジ
【図１】
0004621598.tif 000002
【図２】
0004621598.tif 000003
【図３】
0004621598.tif 000004
【図４】
0004621598.tif 000005
【図５】
0004621598.tif 000006
【図６】
0004621598.tif 000007
【図７】
0004621598.tif 000008
【図８】
0004621598.tif 000009
【図９】
0004621598.tif 000010
【図１０】
0004621598.tif 000011
【図１１】
0004621598.tif 000012
【図１２】
0004621598.tif 000013
【図１３】
0004621598.tif 000014
【図１４】
0004621598.tif 000015
【図１５】
0004621598.tif 000016
【図１６】
0004621598.tif 000017
【図１７】
0004621598.tif 000018